(57)【要約】【課題】トランジスタのインピーダンス整合に必要とする整合パターンの面積を確保しつつ、プリント板のトランジスタの直近部分をケースに押さえ付ける。【解決手段】ケース８内に設けられトランジスタ５を取り付けるプリント板７と、インピーダンスを整合するための整合パターン４と、この整合パターン４に配設された誘電体２と、この誘電体２を固定するための押さえ金具１と、この押さえ金具１をプリント板７と共にケース８に固定するネジ３とを備え、押さえ金具１は、Ａ点にてプリント板７のＧＮＤ面と接触している。また、押さえ金具１のＢ点には誘電体２が配設され、ネジ３にて押さえ金具１をプリント板７とケース８に固定した際に、同時に誘電体２がプリント板７のトランジスタ５出力（または入力）部の整合パターン４を押え付けるように構成する。【選択図】      図２
2004356839.tif 000002
【特許請求の範囲】
【請求項１】
トランジスタの入出力インピーダンスの調整機能を有する高周波増幅器であって、
ケース内に設けられ前記トランジスタを取り付けるプリント板と、前記インピーダンスを整合するための整合パターンと、この整合パターン部に配設された誘電体と、この誘電体を固定するための押さえ金具と、この押さえ金具をプリント板と共に前記ケースに固定するネジとを備え、前記誘電体が前記トランジスタ出力（もしくは入力）部の整合パターンを押え付けるように構成されたことを特徴とする高周波増幅器。
【請求項２】
押さえ金具の一方は、ネジにてプリント板のＧＮＤ面と接触するように構成されていることを特徴とする請求項１に記載の高周波増幅器。
【請求項３】
押さえ金具の他方は、誘電体が配設されるように構成されていることを特徴とする請求項１に記載の高周波増幅器。
【請求項４】
誘電体は、交換可能に構成されていることを特徴とする請求項１から３のいずれか１項に記載の高周波増幅器。
【請求項５】
押さえ金具のネジ取り付け位置をＡ点とし、かつ前記押さえ金具の誘電体押し付け位置をＢ点としたとき、前記Ａ点から前記Ｂ点までの距離は信号周波数の４分の１波長相当の長さであることを特徴とする請求項１から４のいずれか１項に記載の高周波増幅器。
【請求項６】
トランジスタは、プッシュプルタイプであることを特徴とする請求項１から５のいずれか１項に記載の高周波増幅器。
【発明の詳細な説明】
【０００１】
【発明の属する技術分野】
本発明は高周波増幅器に関し、特にトランジスタの入出力インピーダンスの調整機能を有する高周波増幅器に関する。
【０００２】
【従来の技術】
図３は、従来の高周波増幅器の一例を示す図である。図３を参照すると、従来の高周波増幅器は、金属製容器１１内にトランジスタ１２が設けられ、低インピーダンス部の整合回路は、高誘電体基板１３，１４上に形成され、低インピーダンス線路１５ａ，１６ａの次にはＵ字型の低インピーダンス線路１５ｂ，１６ｂが形成され、これらのＵ字型の低インピーダンス線路間の金ワイヤ１７の接続位置を変えることにより、Ｕ字型の低インピーダンス線路１５ｂ，１６ｂの線路長を調整する。従って、特性のばらつきの大きな高出力、高周波増幅器においても、微調整によって特性のばらつきを抑えることができ、歩留りよく生産することができる。（例えば、特開平６−１０４６１３号公報を参照。）。
【０００３】
【特許文献１】
特開平６−１０４６１３号公報
【０００４】
【発明が解決しようとする課題】
しかしながら、従来、この種のトランジスタを使用する際には、インピーダンス整合に必要なある面積の整合パターンのために、トランジスタ直近のプリント板をケースに確実に固定することができなかった。そのため、プリント板のＧＮＤとケースとの接触が不完全になりがちで、周囲温度やプリント板の反り等の影響によって高周波特性が変化し、所要特性が満足できなくなることが往々にしてあった。
【０００５】
また、仮に、トランジスタ直近にネジを配置し、整合パターンをこのネジに接触しないような形状にしたとしても、例えば、プッシュプルタイプのトランジスタでは、各ドレイン間またはゲート間にコンデンサを実装して調整する際に、その作業の邪魔となり、実現不可能になるという欠点があった。
【０００６】
本発明の目的は、かかる課題に鑑みてなされたものであって、トランジスタがインピーダンス整合に必要とする整合パターンの面積を確保しつつ、プリント板のトランジスタの直近部分をケースに押さえ付けることが可能な押さえ金具を提供することにある。
【０００７】
【課題を解決するための手段】
本発明は、増幅素子であるトランジスタと、このトランジスタの入出力インピーダンスの調整機能を有する高周波増幅器であって、ケース内に設けられ前記トランジスタを取り付けるプリント板と、前記インピーダンスを整合するための整合パターンと、この整合パターン部に配設された誘電体と、この誘電体を固定するための押さえ金具と、この押さえ金具をプリント板と共に前記ケースに固定するネジとを備え、前記誘電体が前記トランジスタ出力（もしくは入力）部の整合パターンを押え付けるように構成されたことを特徴とする。
【０００８】
また、押さえ金具の一方は、ネジにてプリント板のＧＮＤ面と接触するように構成され、押さえ金具の他方は、誘電体が配設されるように構成され、さらに誘電体は、交換可能に構成されていることを特徴とする。
【０００９】
そして、押さえ金具のネジ取り付け位置をＡ点とし、かつ前記押さえ金具の誘電体押し付け位置をＢ点としたとき、前記Ａ点から前記Ｂ点までの距離は信号周波数の４分の１波長相当の長さであることを特徴とする。また、トランジスタは、プッシュプルタイプであってもよい。
【００１０】
これにより、プリント板のＧＮＤとケースＧＮＤが安定し、プリント板が温度で浮くことによるＲＦ特性の変化をなくすことが可能となる。
【００１１】
また、トランジスタがプッシュプルタイプの場合は出力（または入力）部分の各々の整合パターン間を誘電体が押さえ付けることにより、そのスタブ間にコンデンサがあることと等価になる。この誘電体の誘電率を変えることによりインピーダンス整合も同時に行うことが可能になる。
【００１２】
【発明の実施の形態】
次に、本発明について説明する。図１および図２は本発明の一実施の形態を示す図であって、図１は、本発明の押さえ金具を実装して上面から見た図である。図２は、同様に本発明を実装して側面から見た図である。
【００１３】
まず、本実施例の構成について図１を参照すると、本発明は、増幅素子であるトランジスタ５と、このトランジスタ５の入出力インピーダンスの調整機能を有する高周波増幅器であって、ケース８内に設けられトランジスタ５と取り付けるプリント板７と、インピーダンスを整合するための整合パターン４と、この整合パターン４に配設された誘電体２と、この誘電体２を固定するための押さえ金具１と、この押さえ金具１をプリント板７と共にケース８に固定するネジ３とを備え、誘電体２がトランジスタ５の出力（もしくは入力）部の整合パターン４を押え付けるように構成されている。これによりプリント板７のトランジスタリード６の近傍がケース８に押さえ付けられ、プリント板７裏面のＧＮＤがケース８に確実に接触する。
【００１４】
押さえ金具１は、図中Ａ点にてプリント板７のＧＮＤ面と接触している。また、押さえ金具１の図中Ｂ点には誘電体２が配設されており、ネジ３にて押さえ金具１をプリント板７とケース８に固定した際に、同時に誘電体２がプリント板７のトランジスタ５出力（または入力）部の整合パターン４を押え付けるように構成されている。これにより、プリント板７のトランジスタ５出力（または入力）部裏面のＧＮＤとケース８とが確実に固定される。
【００１５】
また、図１において、誘電体２が出力（または入力）部分の各々の整合パターン４間を押さえ付けることにより、その誘電体２がコンデンサとしての役割を果たすので、従来の各々の整合パターン４間にコンデンサを半田付けすることによる調整と等価となる。また、この場合、コンデンサ容量の調整は誘電率の異なる誘電体２に交換することで行える。
【００１６】
さらに、金具１のＡ点とＢ点との距離を４分の１波長に相当する距離とすることで、トランジスタ５の特性に押さえ金具１が影響を与えないようにすることが可能になる。
【００１７】
次に、本発明の実施の形態の動作について図面を参照して説明する。
【００１８】
図１および図２を参照すると、押さえ金具１はネジ３によりプリント板７と共にケース８に固定される。プリント板７の押さえ金具１が接触しているＡ点はＧＮＤ面とする。従って、押さえ金具１はこのＡ点のみにてＧＮＤと接触している。
【００１９】
ネジ３を締め付けて押さえ金具１をプリント板７と共にケース８に固定することにより、同時に誘電体２がトランジスタ５出力（または入力）部分の整合パターン４を押さえ付ける。その結果、トランジスタ５出力（または入力）部分の整合パターン４直下のプリント板７裏面のＧＮＤがケース８に確実に接触する。この誘電体２による押さえがなければ、プリント板７の反りやプリント板７とケース８の熱膨張率の違いによりプリント板７裏面のＧＮＤとケース８との接触が不十分となる場合がある。
【００２０】
このとき、トランジスタ５はケース８に接地されているため、トランジスタ５のＧＮＤとプリント板７の整合パターン４直下のＧＮＤが離れてしまい、プリント板７裏面のＧＮＤとケース８とが確実に接触している場合とでは、ＲＦ特性が変わってしまうが、本発明のように押さえ金具１に取り付けられている誘電体２で押さえることによりこの問題が解決できる。
【００２１】
しかしながら、この押さえ金具１がプリント板７と接触しているＡ点と、誘電体２が押さえ金具１に取り付けられているＢ点との距離が適切でないと、整合パターン４からは接触している誘電体２を介して押さえ金具１がＧＮＤに見えてしまい、ＲＦ特性に影響を与えることになる。
【００２２】
そこで、本発明ではこのＡ点とＢ点との距離を４分の１波長相当の長さとし、かつショートスタブにして開放状態とすることにより、押さえ金具１は純粋にプリント板７を押さえるためだけに使用できる。
【００２３】
また、図１のトランジスタ５のようなプッシュプルタイプのトランジスタに本発明の押さえ金具１を使用する際、誘電体２がトランジスタ５出力（もしくは入力）部分の各々の整合パターン４を跨ぐように押さえ付けることにより、各々の整合パターン間にコンデンサがあることと等価になる。
【００２４】
従来は、コンデンサをこの整合パターン間に半田付けしてインピーダンス調整を行っていたため、このプリント板７の整合パターン４直下のＧＮＤをケース８に押さえ付けることができなかった。本発明の押さえ金具１に取り付けられている誘電体２により、このコンデンサの役割とプリント板７をケース８に押さえ付ける役割との両方を実現することが可能となる。
【００２５】
また、従来のコンデンサの容量を変えることによる調整は、誘電率の異なる誘電体２に付け替えることで同等の調整が可能になる。さらに、コンデンサを半田付けして調整する場合は、調整において一度外したコンデンサは製品としては使用不可能であったが、本発明の押さえ金具１に取り付けられている誘電体２による調整では半田付けを行わないため、調整によって交換した誘電体２を繰り返し再使用することが可能である。
【００２６】
【発明の効果】
以上説明したように本発明によれば、抑え金具を採用することにより、トランジスタがインピーダンス整合に必要とする整合パターンの面積を確保しつつ、プリント板のトランジスタの直近部分をケースに押さえ付けることが可能となり、プリント板がケースから浮くことがなく、高周波増幅器のＲＦ特性が温度等の要因で不安定になることがなくなる。
【００２７】
また、本実施例のようなプッシュプルタイプのトランジスタを使用する際には、各ドレイン間またはゲート間に容量が必要な場合に、従来のコンデンサを実装による調整に代えて誘電体の容量で調整可能となる。さらに、この誘電体と抑え金具との接触点と、抑え金具とプリント板のＧＮＤ部接触点との距離を信号周波数の４分の１波長相当の長さにすることにより、抑え金具によるＲＦ特性への影響をなくすことができる。
【図面の簡単な説明】
【図１】本発明の高周波増幅器の押さえ金具を実装して上面から見た図である。
【図２】本発明の高周波増幅器を実装して側面から見た図である。
【図３】従来の高周波増幅器の一例を示す図である。
【符号の説明】
１    押さえ金具
２    誘電体
３    ネジ
４    整合パターン
５    トランジスタ
６    トランジスタリード
７    プリント板
８    ケース
１１    金属製容器
１２    トランジスタ
１３，１４    高誘電体基板
１５ａ，１６ａ    低インピーダンス線路
１５ｂ，１６ｂ    Ｕ字型の低インピーダンス線路
１７    金ワイヤ
【図１】
2004356839.tif 000003
【図２】
2004356839.tif 000004
【図３】
2004356839.tif 000005